(57)【特許請求の範囲】
【請求項１】
床下に納められる上方へ開口した本体箱の内底部にヒータを設置し、該ヒータの電源となるコンセントを同本体箱の内部に設けてなる掘ごたつであって、前記本体箱の外側を覆う断熱材でなる外箱体を備え、該外箱体には前記コンセントと対応する位置に貫通孔を形成し、該貫通孔に床下で配線されて同コンセントへと電源供給する電気コードを挿通してなり、本体箱の上端外側に沿った補強桟を床下側に固定し、該補強桟に外箱体の上端部分を結合して、該外箱体と同本体箱との間に間隙スペースを形成し、該本体箱の上端部分から同補強桟の上面へと延設される気密シートを付設してなる掘ごたつ。
【請求項２】
電気コードが挿通された貫通孔をシーリング材で密閉したことを特徴とする請求項１記載の掘ごたつ。
【請求項３】
コンセントの一部が本体箱の外部に突出しており、該コンセントの突出部分が納まる凹所を外箱体の内面に形成したことを特徴とする請求項１又は２記載の掘ごたつ。
【発明の詳細な説明】
【０００１】
【発明の属する技術分野】
本発明は、床下に納められる上方へ開口した本体箱の内底部にヒータを設置してなる掘ごたつに関するものである。
【０００２】
【従来の技術】
従来から、図４に示す如く、床下に納められる上方へ開口した本体箱１の内底部にヒータ２を設置し、該ヒータ２の電源となるコンセント３を同本体箱１の内部に設けてなる掘ごたつは知られている。該掘ごたつは、実開平３−４２９０８号公報に示されたものである。該掘ごたつにおいては、床面に形成される開口に框枠体11が取着固定され、該框枠体11には本体箱１の上端部分が結合されて、該本体箱１は垂設支持されている。又、框枠体11の各コーナー上に脚材12が立設され、該脚材12上間には天板13が架設されて堀座卓14となっている。
【０００３】
そして、本体箱１の内底部にヒータ２が設置固定され、該ヒータ２の電源となるコンセント３は同本体箱１の側壁部分に設けられている。この場合、コンセント３は本体箱１の側壁部分から外部に突出しており、該コンセント３の突出部分において、床下で配線されて同コンセント３へと電源供給する電気コードが接続されている。又、本体箱１の内部においては、ヒータ２から導出される導電コード20の先端に設けられたプラグ21がコンセント３に接続されており、該コンセント３よりも下側で同ヒータ２の上側にはスノコ部材19が架設されている。
【０００４】
したがって、該掘ごたつにおいては、ヒータ２で温められた本体箱１の内部に足を入れて安全且つ快適に暖まることができる。又、この場合、ヒータ２の電源となるコンセント３が本体箱１の内部に設けられ、該コンセント３への電源供給は床下配線から行われるので、同ヒータ２へ電源供給するための配線コードを床上に這わすことがなく、該床上は障害物がなくなってスッキリと納まる。
【０００５】
【発明が解決しようとする課題】
しかしながら、上記従来の技術にあっては、本体箱１の断熱性が十分でないため、ヒータ２で温められた同本体箱１の内部の熱は床下へ逃げてしまい、床下と床上室内との間における断熱も図られていない。そのため、掘ごたつとしての機能が低下するだけでなく、室内外を断熱する住宅そのものの断熱性能にも支障を来す結果となっている。この問題は、特に、戸建て住宅の一階床のように、床下に屋外空気が自由に流入している場合に発生する。
【０００６】
それなれば、本体箱１に断熱性を付与すれば良いのであるが、全ての掘ごたつにおいてそうする必要はない。すなわち、前述の如く、住宅そのものの断熱性能に支障を来すという問題は、床下に屋外空気が自由に流入している場合に発生するもので、それ以外の場合には、床下（戸建て住宅の二階以上の床下やマンションの床下等）が既に断熱構造空間となっていて、本体箱１に断熱性を付与することは過剰品質の付加となってしまう。例えば、本体箱１を厚肉の断熱板材で形成して、該本体箱１に断熱性を付与することも知られているが、この場合には、同本体箱１そのものの製造コストが高くなり、その施工も床に大きな開口を形成しなければならない等の理由で複雑化してしまう。
【０００７】
そこで、現在、望まれていることは、本体箱１に必要に応じて簡単に断熱性を付与することができることである。例えば、床下で必要に応じて本体箱１の周囲に断熱構造を施せば良いのであるが、この場合には、同床下で配線されてコンセント３へと電源供給する電気コードが邪魔になってしまう。そのため、実際、このような場合には、床下配線から本体箱１のコンセント３へ電源供給することを断念し、室内の別のコンセントから導電コード20を介してヒータ２への電源供給を行っている。その結果、本体箱１のコンセント３は無駄になり、しかも、ヒータ２へ電源供給するための導電コード20が床上に這わされることになり、該床上は同導電コード20が障害物となってスッキリと納まらなくなる。
【０００８】
本発明は、上記従来の技術における問題を悉く解決するために発明されたもので、その課題は、必要に応じて簡単に断熱性を付与することができ、しかも、ヒータへの電源供給を床下から支障なく得ることができる掘ごたつを提供することである。
【０００９】
【課題を解決するための手段】
本発明の請求項１記載の掘ごたつは、床下に納められる上方へ開口した本体箱の内底部にヒータを設置し、該ヒータの電源となるコンセントを同本体箱の内部に設けてなる掘ごたつであって、前記本体箱の外側を覆う断熱材でなる外箱体を備え、該外箱体には前記コンセントと対応する位置に貫通孔を形成し、該貫通孔に床下で配線されて同コンセントへと電源供給する電気コードを挿通してなるものである。
【００１０】
したがって、この場合、床下に納められる本体箱の外側が断熱材でなる外箱体によって覆われるので、該本体箱には断熱性が付与されて、同床下と床上室内との間における断熱は図られ、住宅そのものの断熱性能が保持されると共に、掘ごたつとしての機能も向上される。しかも、その際、外箱体で本体箱の外側を覆うことによって、該本体箱には必要に応じて簡単に断熱性が付与され、必要でない際には、断熱性を付与することなく同本体箱だけで簡単に、過剰品質とならない施工を行うこともできる。
【００１１】
又、外箱体にコンセントと対応する位置に貫通孔が形成され、該貫通孔には床下で配線されて同コンセントへと電源供給する電気コードが挿通されるので、該電気コードを介して床下から同コンセントへと支障なく電源供給される。そのため、本体箱の内部に設けられる前記コンセントから、同本体箱の内底部に設置されるヒータへと電源供給することができ、室内の別のコンセントを用いる必要はなく、同ヒータへ電源供給するための配線コードを床上に這わすことがなく、該床上は障害物がなくなってスッキリと納まる。
【００１２】
本発明の請求項２記載の掘ごたつは、上記請求項１記載の掘ごたつにおいて、電気コードが挿通された貫通孔をシーリング材で密閉したことを特徴とするものである。
【００１３】
したがって、この場合は特に、電気コードの挿通された貫通孔がシーリング材で密閉されるため、床下からの冷気や湿気の侵入は防止されて、付与された断熱性や電気絶縁性が確保される。しかも、コンセントに接続される電気コードが貫通孔でシーリング材により保持固定されて、同電気コードの接続状態は安定し確実なものとなる。
【００１４】
本発明の請求項３記載の掘ごたつは、上記請求項１又は２記載の掘ごたつにおいて、コンセントの一部が本体箱の外部に突出しており、該コンセントの突出部分が納まる凹所を外箱体の内面に形成したことを特徴とするものである。
【００１５】
したがって、この場合は特に、コンセントの一部が本体箱の外部に突出しているものではあるが、該コンセントの突出部分は外箱体の内面に形成された凹所に納められ、該外箱体によって同本体箱の外側が支障なく覆われる。
【００１６】
更に、本発明の上記請求項１記載の掘ごたつは、本体箱の上端外側に沿った補強桟を床下側に固定し、該補強桟に外箱体の上端部分を結合して、該外箱体と同本体箱との間に間隙スペースを形成し、該本体箱の上端部分から同補強桟の上面へと延設される気密シートを付設したことを特徴とするものである。
【００１７】
したがって、この場合は特に、本体箱の上端外側に沿った補強桟が床下側に固定され、外箱体はその上端部分が同補強桟に結合されて、補強されると共に確実に支持固定される。しかも、その際、外箱体と本体箱との間には気密シートにてその内部の気密状態が保持された間隙スペースが形成されるので、同外箱体と本体箱との間における伝熱は防止されて、付与された断熱性が向上される。
【００１８】
【発明の実施の形態】
図１、２は、本発明の請求項１、２に対応する一実施形態を示し、該実施形態の掘ごたつは、床下に納められる上方へ開口した本体箱１の内底部にヒータ２を設置し、該ヒータ２の電源となるコンセント３を同本体箱１の内部に設けてなり、この場合に、前記本体箱１の外側を覆う断熱材でなる外箱体４を備え、該外箱体４には前記コンセント３と対応する位置に貫通孔５を形成し、該貫通孔５に床下で配線されて同コンセント３へと電源供給する電気コード６を挿通したものである。
【００１９】
又、該実施形態の掘ごたつにおいては、電気コード６が挿通された貫通孔５をシーリング材７で密閉している。更に、本体箱１の上端外側に沿った補強桟９を床下側に固定し、該補強桟９に外箱体４の上端部分を結合して、該外箱体４と同本体箱１との間に間隙スペース10を形成している。又、床面に形成される開口に框枠体11が取着固定され、該框枠体11には本体箱１の上端部分が結合されて、該本体箱１は垂設支持されている。又、框枠体11の各コーナー上に脚材12が立設され、該脚材12上間には天板13が架設されて堀座卓14となっている。
【００２０】
この場合、框枠体11と本体箱１の上端部分との間には、その外側に気密シート15が付設されており、該気密シート15によって同本体箱１の内部は床下外部との間でその気密状態が保持される。又、気密シート15は断面略Ｌ字状に折曲していて、框枠体11の下面から補強桟９の上面へと延設されており、それ故、外箱体４と本体箱１との間の前記間隙スペース10内の気密状態も保持される。又、補強桟９は根太材16の内側に設置固定され、該根太材16上には床下地板17が載設固定されている。床下地板17及び補強桟９上には、框枠体11の周囲で畳材18が敷設されており、該畳材18の表面と同框枠体11の上面とは面一状で床表面を形成する。
【００２１】
そして、本体箱１の内底部にヒータ２が設置固定され、該ヒータ２の電源となるコンセント３は同本体箱１の側壁部分に設けられている。又、本体箱１の内部においては、コンセント３よりも下側でヒータ２の上側にスノコ部材19が着脱自在に架設されており、同ヒータ２からは導電コード20が導出され、該導電コード20の先端に設けられたプラグ21は同コンセント３に接続されている。又、本体箱１の側壁部分の上端付近には取付用孔22が開口形成され、該取付用孔22にコンセント３は挿通保持されている。この場合、コンセント３に突設された板バネ片23によって、該コンセント３は取付用孔22の周縁に挟着保持されている。なお、ヒータ２の入切操作や温度調節は、該ヒータ２からコードを介して床上に導出されるコントローラ24で行うことができる。
【００２２】
外箱体４は底板部材25と側板部材26とでなり、床下にて上方へ開口した箱型に組み立てられる。底板部材25及び側板部材26は発泡ポリウレタン、ロックウール等の断熱材でなり、矩形板状に形成されたものである。そして、床に形成された開口から底板部材25及び側板部材26を床下に挿入し、該床下で同底板部材25及び側板部材26によって外箱体４を組立形成し、該外箱体４の上端部分を補強桟９の下側に結合固定し、その後に、同床に形成された開口に本体箱１を設置施工することができる。
【００２３】
この場合、床に形成する開口を大きくする必要はなく、床下に深くもぐり込んで施工する必要もなくなり、床上の同開口から容易に施工することができる。なお、外箱体４は補強桟９で吊り下げ支持されるだけでなく、床下の地面上に載置されて確実に支持固定されている。又、外箱体４の側板部材26の上端付近には貫通孔５が所定の位置に予め穿設されており、該貫通孔５に挿通される電気コード６は床下配線されたＶＶＦで、同貫通孔５に現場で発泡充填されるシーリング材７によって保持固定されている。
【００２４】
したがって、該実施形態の掘ごたつにおいては、ヒータ２で温められた本体箱１の内部に足を入れて安全且つ快適に暖まることができる。更には、床下に納められる本体箱１の外側が断熱材でなる外箱体４によって覆われるので、該本体箱１には断熱性が付与されて、同床下と床上室内との間における断熱は図られ、住宅そのものの断熱性能が保持されると共に、ヒータ２で加熱保温する掘ごたつとしての機能も向上される。しかも、その際に、外箱体４で本体箱１の外側を覆うことによって、該本体箱１には必要に応じて簡単に断熱性が付与されるものであり、必要でない際には、同外箱体４で断熱性を付与することなく、同本体箱１だけで簡単に過剰品質とならない施工を行うこともできる。
【００２５】
又、この場合、外箱体４にはコンセント３と対応する位置に貫通孔５が予め形成されており、該貫通孔５には床下で配線されて同コンセント３へと電源供給する電気コード６が挿通されるので、該電気コード６を介して床下配線から同コンセント３へと支障なく電源供給される。そのため、本体箱１の内部に設けられる前記コンセント３から、同本体箱１の内底部に設置されるヒータ２へと電源供給することができ、室内の別のコンセントを用いる必要はなく、同ヒータ２へ電源供給するための配線コードを床上に這わすことがなく、該床上は障害物がなくなってスッキリと納まる。
【００２６】
又、該実施形態の掘ごたつにおいては、電気コード６の挿通された貫通孔５がシーリング材７で充填密閉されるため、床下からの冷気や湿気の侵入は防止されて、付与された断熱性や電気絶縁性が確保される。しかも、コンセント３に接続される電気コード６が貫通孔５でシーリング材７により保持固定されて、同電気コード６の接続状態は安定し確実なものとなる。更に、本体箱１の上端外側に沿った補強桟９が床下側に固定され、外箱体４はその上端部分が同補強桟９に結合されて、補強されると共に確実に支持固定される。しかも、その際、外箱体４と本体箱１との間には間隙スペース10が形成されるので、同外箱体４と本体箱１との間における伝熱は防止されて、付与された断熱性が向上される。
【００２７】
図３は、本発明の請求項１〜３全てに対応する別の実施形態を示し、該実施形態の掘ごたつでは、コンセント３の一部が本体箱１の外部に突出しており、該コンセント３の突出部分が納まる凹所８を外箱体４の内面に形成している。この場合、本体箱１の側壁部分の上端付近に開口形成される取付用孔22にコンセント３のカバー部材27が嵌合されて、該コンセント３は保持されており、同カバー部材27が本体箱１の外部に突出している。又、外箱体４の側板部材26の上端内側縁に段状の凹所８が形成されており、該凹所８で同側板部材26に貫通孔５は穿設形成されている。
【００２８】
したがって、該実施形態の掘ごたつにおいては、コンセント３の一部であるカバー部材27が本体箱１の外部に突出しているものではあるが、該コンセント３の突出部分となるカバー部材27は外箱体４の上端縁内面に形成された凹所８に納められ、該外箱体４によって同本体箱１の外側が支障なく覆われる。なお、それ以外は上記実施形態と全く同様に構成されており、同上記実施形態におけると全く同様の作用効果が奏される。
【００２９】
【発明の効果】
上述の如く、本発明の請求項１記載の掘ごたつにおいては、必要に応じて本体箱の外側を外箱体で覆うことにより、簡単に同本体箱に断熱性を付与することができる。しかも、外箱体に形成される貫通孔に電気コードが挿通され、該電気コードを介して床下からコンセントへと電気は支障なく供給され、本体箱の内部に設けられる同コンセントからヒータへと電源供給することができる。
【００３０】
又、本発明の請求項２記載の掘ごたつにおいては、特に、床下からの冷気や湿気の侵入が防止されて、断熱性や電気絶縁性は確保され、しかも、コンセントに接続される電気コードの接続状態が安定し確実なものとなる。
【００３１】
又、本発明の請求項３記載の掘ごたつにおいては、特に、コンセントの一部突出部分が外箱体内面の凹所に納められ、該外箱体によって本体箱の外側は支障なく覆われる。
【００３２】
更に、本発明の上記請求項１記載の掘ごたつにおいては、特に、外箱体が補強桟で補強されると共に確実に支持固定され、しかも、同外箱体と本体箱との間には気密シートにてその内部の気密状態が保持された間隙スペースが形成されて、伝熱の防止により断熱性は向上される。
【図面の簡単な説明】
【図１】本発明の一実施形態である掘ごたつの全体を示す断面図。
【図２】同掘ごたつの要部を示す詳細断面図。
【図３】別の実施形態である掘ごたつの要部を示す詳細断面図。
【図４】従来例である掘ごたつの全体を示す断面図。
【符号の説明】
１  本体箱
２  ヒータ
３  コンセント
４  外箱体
５  貫通孔
６  電気コード
７  シーリング材
８  凹所
９  補強桟
10  間隔スペース
【図１】
0003674445.tif 000002
【図２】
0003674445.tif 000003
【図３】
0003674445.tif 000004
【図４】
0003674445.tif 000005